(57)【要約】【課題】広告内容の変更が容易にでき資材の無駄を生じないとともに、動画広告にも対応できる広告シートを提供する。【解決手段】広告シートとしての表示用建築シート５のシート基材５１にシート状のフレキシブルディスプレイ５２を一体的に設ける。フレキシブルディスプレイ５２はシート基材５１の表面に接合され、フレキシブルディスプレイ５２の表面は透明なコーティング材５３で覆われている。【選択図】        図２
2011013242.tif 000002
【特許請求の範囲】
【請求項１】
シート基材にシート状のフレキシブルディスプレイを一体的に設けたことを特徴とする広告シート。
【請求項２】
前記フレキシブルディスプレイを前記シート基材の表面に接合するとともに、前記フレキシブルディスプレイの表面を透明なコーティング材で覆ってある請求項１に記載の広告シート。
【請求項３】
前記フレキシブルディスプレイは、発光素子層をプラスチックフィルムで挟んだ構造を有している請求項１又は２に記載の広告シート。
【発明の詳細な説明】
【技術分野】
【０００１】
本発明は広告シートに関し、特に、広告内容が容易に変更できる広告シートに関する。
【背景技術】
【０００２】
建築現場において、パイプ等で組み上げた足場の外側を覆うことによって、作業員の安全確保や通行人への落下物防止を図る等のために建築シートが使用されている。このように建築シートは工事中の建築物の外壁を構成しているため、建築シートを広告シートとして利用してその外面を広告に使用する試みは以前からなされている。なお、特許文献１には、シート状基材の表面に模様等の意匠を印刷表示し、その表面を樹脂フィルムで覆った構造の側壁養生シートが示されている。
【先行技術文献】
【特許文献】
【０００３】
【特許文献１】特開平１０−１１０５３４
【発明の概要】
【発明が解決しようとする課題】
【０００４】
しかし、従来の広告シートにおける広告は、シート基材に広告内容を印刷するものであるため、広告内容の変更ができず他所での使用が困難で、資材の無駄が生じるという問題があるとともに、動画による広告は不可能であるという問題があった。
【０００５】
そこで、本発明はこのような課題を解決するもので、広告内容の変更が容易にでき資材の無駄を生じないとともに、動画広告にも対応できる広告シートを提供することを目的とする。
【課題を解決するための手段】
【０００６】
上記目的を達成するために、本第１発明の広告シートは、シート基材（５１）にシート状のフレキシブルディスプレイ（５２）を一体的に設けたものである。
【０００７】
本第１発明においては、シート基材にフレキシブルディスプレイを設けたことにより静止画のみならず動画による効果的な広告を行うことができる。また、定期的に広告内容を変更し、あるいは一の場所で使用した広告シートを、広告内容を変えて他の場所で使用することができるから、資材の無駄を生じない。
【０００８】
本第２発明では、上記フレキシブルディスプレイ（５２）をシート基材（５１）の表面に接合するとともに、フレキシブルディスプレイ（５２）の表面を透明なコーティング材（５３）で覆ってある。この際、コーティング材に撥水加工を施すと良い。
【０００９】
本第２発明においては、広告シートの厚みを、フレキシブルディスプレイを備えない広告シートとほぼ同厚にできるから運搬保管等の手間を軽減することができる。
【００１０】
本第３発明では、上記フレキシブルディスプレイ（５３）は、発光素子層をプラスチックフィルムで挟んだ構造を有している。
【００１１】
なお、上記カッコ内の符号は、後述する実施形態に記載の具体的手段との対応関係を示すものである。
【発明の効果】
【００１２】
以上のように、本発明の広告シートによれば、広告内容の変更が容易にでき資材の無駄を生じないとともに、動画による効果的な広告が可能である。
【図面の簡単な説明】
【００１３】
【図１】本発明の広告シートを表示用建築シートに適用した場合の、シート工事現場の外観を示す斜視図である。
【図２】表示用建築シートの断面図である。
【図３】表示用建築シートのデータ取り込み系統図である。
【発明を実施するための形態】
【００１４】
以下は、本発明の広告シートを表示用建築シートに適用した例について説明する。図１には工事現場の外観を示す。図１において、工事中の建築物の周囲は縦横にパイプ材１を組んだ足場によって矩形に囲まれており、足場の各長方形空間は、定形に製作された多数の建築シート２によって外側から覆われて、広い面積の外壁を構成している。なお、図中、符号３は金属製の板塀であり、符号４は建築現場への出入用開口である。
【００１５】
本実施形態では、出入用開口４の上方位置で、足場の長方形空間のうちの二つが、以下に詳細を説明するような広告シートたる表示用の建築シート５で覆われている。表示用建築シート５は図２にその下部の断面を示すように、シート基材５１の外側面にシート状のフレキシブルディスプレイ５２が接合され、さらにその外側面にこれを覆うように撥水加工を施した透明なコーティング材５３が接合されている。
【００１６】
すなわち、表示用建築シート５は、シート基材５１とコーティング材５３の間にフレキシブルディスプレイ５２を備えているところが他の建築シート２と異なっている。ここで、シート基材５１としては建築シートに一般的に使用される例えばポリエステルやポリプロピレン等が使用でき、またコーティング材５３としては建築シートに一般的に使用される例えば塩化ビニル等が使用できる。
【００１７】
フレキシブルディスプレイ５２は、有機ＥＬ（エレクトロルミネッセント）や有機発光ダイオードのような発光素子層を、プラスチックフィルムで挟んだ構造を有し、その厚みは０．５ｍｍ以下であるから、表示用建築シート５の全体厚は、シート基材２１とコーティング材２２よりなる他の建築シート２のものと殆ど変わらない。このようにフレキシブルディスプレイ５２を介在させた表示用建築シート５はその外表面全面が表示画面となる。
【００１８】
上記フレキシブルディスプレイ５は図３に示すように、例えば電子広告用の表示駆動器６１に接続される。この種の表示駆動器６１としては、例えばＦＸＣ株式会社製の商品名デジタルメディアビューアーＦＸＣ−ＤＭＶ８０が使用できる。表示駆動器６１は、ＵＳＢ端子に接続されたメモリ６２や、インターネット６３を介して接続されたサーバー６４から、広告用のコンテンツデータを取り込み、フレキシブルディスプレイ５へ映像信号を出力して動画や静止画による広告表示をさせる。広告内容は表示駆動器６１へ入力するコンテンツデータを更新することによって変更することができる。
【００１９】
このようにして、工事中の建築現場を覆う建築シートを使用して動画や静止画による効果的な広告を行うことができるとともに、一の工事現場で使用した表示用建築シートを、広告内容を変えて他の工事現場で使用することができるから、資材の無駄を生じない。
【００２０】
ここで、表示用建築シート５の取付構造を他の建築シート２と同様のものにし、その大きさも他の建築シート２と同様の規格にしておけば、表示用建築シート５の設置を別途行う必要がないから、設置の手間が軽減される。また、表示用建築シート５は軽量であるとともに巻回して収納することができるから、運搬容易であり、保管スペースも軽減される。なお、フレキシブルディスプレイ自体の構造やフレキシブルディスプレイの建築シートへの一体化構造は本実施形態のものに限られない。また、本発明の広告シートは建築シートに適用すると本実施形態で説明したような効果が得られるが、建築シートへの適用に限られるものではない。
【符号の説明】
【００２１】
５…表示用建築シート（広告シート）、５１…シート基材、５２…フレキシブルディスプレイ、５３…コーティング材、６１…表示駆動器。
【図１】
2011013242.tif 000003
【図２】
2011013242.tif 000004
【図３】
2011013242.tif 000005